(57)【要約】【課題】外部電源で駆動するワイヤレス送信器において、外部電源が停電などにより遮断した場合には、バックアップ電池を作動して、そのことをワイヤレス信号で報知できるワイヤレス送信器を提供する。【解決手段】天井面や壁面に取り付けられ、無線送信回路を内蔵したワイヤレス送信器であって、外部電源入力端子、バックアップ電池を有したバックアップ充電回路、外部電源の供給を受けていることを検知する電源検知回路、無線送信回路、内部制御回路を有しており、電源検知回路が、外部電源を検地しているときには、この外部電源をバックアップ電池に供給して蓄積させる一方、外部電源を検知しなくなったときには、バックアップ電池から無線送信回路、内部制御回路に電源を供給して、無線送信回路から電源遮断の異常をワイヤレス信号として発信させる構成にしている。【選択図】図１
2005269385.tif 000002
【特許請求の範囲】
【請求項１】
天井面や壁面に取り付けられ、無線送信回路を内蔵したワイヤレス送信器であって、
外部電源入力端子、バックアップ電池を有したバックアップ充電回路、外部電源の供給を受けていることを検知する電源検知回路、無線送信回路、内部制御回路を有しており、
上記電源検知回路が、外部電源を検知しているときは、この外部電源を上記バックアップ電池に供給して蓄積させる一方、上記外部電源を検知しなくなったときには、上記バックアップ電池から上記無線送信回路、上記内部制御回路に電源を供給して、上記無線送信回路から電源遮断の異常をワイヤレス信号として発信させる構成にしている、ワイヤレス送信器。
【請求項２】
請求項１において、
上記ワイヤレス送信器は、上記外部電源入力端子を通じて供給される外部電源、もしくは、電池のいずれかで駆動される構成とされ、上記電池の有無に応じて動作する電池検出手段を更に備えており、
上記電池検出手段が、電池の存在を検出したときには、上記電池と上記バックアップ充電回路との接続を強制遮断する構成にしている、ワイヤレス送信器。
【発明の詳細な説明】
【技術分野】
【０００１】
本発明は、天井面や壁面に取り付けられ、無線送信回路を内蔵したワイヤレス送信器の改良に関する。
【背景技術】
【０００２】
従来より、天井面や壁面に取り付けられ、無線送信回路を内蔵したワイヤレス送信器が使用されている。このようなワイヤレス送信器には、ワイヤレス受信器と組み合わせて使用されて、ワイヤレス通話器、ワイヤレスコール端末器、ワイヤレス検知器などとして機能するものがあり、また、検知器と組み合わせて用いることにより、防犯センサや、人体検知センサ、煙、炎、熱などを検知する火災検知センサ、ガス漏れを検知するガスセンサなどとして機能するものがある。
【０００３】
下記特許文献１には、このようなワイヤレス送信器のうち、天井面に設置され、予め定められた監視エリアの火災監視を行い、火災の検出信号をワイヤレス信号として出力するようにしたものが開示され、提案されている。
【０００４】
このものは、乾電池などの電池を駆動源として用いられ、煙感知器などの火災の発生を知らせる感知器出力を受信すれば、受信側に対して、火災の発生を通知するワイヤレス信号を出力する構成としており、これを受けた受信側では、警報音を鳴動させることにより、火災の発生を報知するようにしている。
【０００５】
また、このワイヤレス送信器では、電池電圧が基準値以下になったことを検出すると、その旨を知らせるワイヤレス信号を出力することにより、受信側にその旨を報知させるようにしている。
【特許文献１】特開平７−１８２５７４号公報
【発明の開示】
【発明が解決しようとする課題】
【０００６】
ところが、上記した従来のワイヤレス送信器では、電池電源だけを駆動源としているので、電池切れを起こさないように、定期的な電池交換をすることを強いられてしまう。そこで、外部電源（商用電源など）を駆動源とすることが考えられ、そうすれば、先述したような電池交換を強いられることはなくなるが、停電や断線などにより外部電源が遮断された場合、ワイヤレス送信器は全く動作することができなくなるので、火災発生などの異常を受信側に全くできなくなってしまう。
【０００７】
そのような事態が生じた場合には、ユーザは早急に復旧措置を行う必要がある。セキュリティ確保のためである。しかしながら、ワイヤレス送信器は駆動電源が全く遮断されているため、ワイヤレス送信器が外部電源の遮断を通知することができず、その旨をユーザが伺い知ることに遅れが生じることが考えられる。
【０００８】
本発明は、上記事情を考慮してなされたものであり、外部電源が停電などにより遮断した場合には、バックアップ電源を駆動して、その旨を受信機側に通知することができる機能を備えるワイヤレス送信器を提供することを目的とする。
【課題を解決するための手段】
【０００９】
上記目的を達成するために、本発明の請求項１では、天井面や壁面に取り付けられ、無線送信回路を内蔵したワイヤレス送信器であって、外部電源入力端子、バックアップ電池を有したバックアップ充電回路、外部電源の供給を受けていることを検知する電源検知回路、無線送信回路、内部制御回路を有しており、電源検知回路が、外部電源を検地しているときには、この外部電源をバックアップ電池に供給して蓄積させる一方、外部電源を検知しなくなったときには、バックアップ電池から無線送信回路、内部制御回路に電源を供給して、無線送信回路から電源遮断の異常をワイヤレス信号として発信させる構成にしている。
【００１０】
このような本願は、ワイヤレスコール端末器、ワイヤレス通話器、ワイヤレス検知器などに適用した場合、停電時にも駆動でき、停電を通知する機能が付加される。この請求項１では、外部電源の遮断時にワイヤレスで通知する機能を備えておればよく、ワイヤレス送信器は、ベース部とヘッド部とが分離できない一体型のものであってもよい。
【００１１】
ここで、ベース部とヘッド部とは、接続ケーブルを介して接続する構成、接続ケーブルを介さず、接続コネクタを組み合わせて接続する構成であってもよいし、ベース部とヘッド部とに対応する接続コネクタを設け、各々の接続コネクタを結合するようにしてもよい。
【００１２】
請求項２では、外部電源、もしくは、電池のいずれかで駆動できる機能を備えたワイヤレス送信器が提案されており、電池で駆動する場合には、電池の不用意な消耗を抑えるため、電池の有無に応じて動作する電池検出手段を備えており、電池検出手段が、電池の存在を検出したときには、電池とバックアップ充電回路との接続を強制遮断する構成にしている。ここに外部電源に代えて使用される電池としては、乾電池、ニッケル水素、リチウムイオンなどの一次電池が種別を問わず採用できる。
【発明の効果】
【００１３】
本発明の請求項１によれば、外部電源駆動時において、その外部電源をバックアップ電池に供給して蓄積させ、その外部電源が遮断したときには、バックアップ電池から無線送信回路、内部制御回路に電源を供給して、無線送信回路から電源遮断の異常をワイヤレス信号として発信させるため、外部電源が停電や断線などにより遮断した場合には、その旨を受信機側に通知することができる。
【００１４】
請求項２によれば、電池で駆動する際に、電池検出手段が電池のセットを検出すると、電池とバックアップ充電回路との接続を遮断してしまうので、電池の不用意な消耗がなく、電池寿命の低下を防止できる。
【発明を実施するための最良の形態】
【００１５】
以下に、本発明の実施の形態について説明する。
ここで、ワイヤレス送信器の一例としてワイヤレス防犯センサを示しているが、本発明はこれには限定されず、ワイヤレス通話器、ワイヤレスコール端末器など、外部電源供給を受けて、無線送信回路によりワイヤレス信号を出力するものに対して適用可能である。
【実施例１】
【００１６】
ワイヤレス送信器１は、図３に示したように、天井面や壁面に取り付けるベース部１Ａと、ベース部１Ａに着脱可能に取り付けできるヘッド部１Ｂとで構成されており、外部電源入力端子Ｃ０から外部電源を供給して、ベース部１Ａにヘッド１Ｂを合体させて使用するようになっている。
【００１７】
ここに、ベース部１Ａは、図１に示すように、マイコンやＭＰＵ、ＣＰＵなどで構成され、内部制御回路を構成する制御部１０、アンテナＡＮＴを通じてワイヤレス信号を出力する無線送信回路１１、無線送信回路１１への電源供給をオンオフする電源制御部１２、無線送信回路１１へ電源を供給するレギュレータ＃１（１３）、外部電源入力端子Ｃ０を通じて供給された外部電源Ｅ１（１２Ｖ）からの電源供給を検知する電源検知回路１４、電池Ｅ１によって供給される電圧値を監視することによって、乾電池Ｅ１の切れを監視する電池切れ監視回路１５、制御部１０の処理を初期化させるリセット回路１６、このワイヤレス検知器のハウスコードなどを記憶している個別識別符号記憶回路１７、ワイヤレス信号の周波数帯などを設定することにより信号チャネルを設定するチャネル設定スイッチ１８、無線送信回路１１によるワイヤレス信号の間欠送信をさせるべく、電源制御部１２による無線送信回路１１への電源供給のオフ間隔を設定する送信禁止時間設定スイッチ１９、制御接点Ｓ２と充電可能なバックアップ電池Ｅ２とからなるバックアップ充電回路２０、電池検出手段を構成する電池検出スイッチＳ１を備えており、この電池検出スイッチＳ１は、電池Ｅ３が電池ケースなどにセットされたときに、制御接点Ｓ２を開いて電池Ｅ３とバックアップ充電回路２０との接続を遮断させることで、電池Ｅ３からバックアップ充電回路２０への不用意な通電を禁止して、電池Ｅ３の安定化を図り、寿命の短縮化を抑制する構成にしている。
【００１８】
この例では、電池検出手段は、電池検出スイッチＳ１で構成して、バックアップ充電回路２０の制御接点Ｓ２を開く構成にしているが、電池Ｅ１の電圧を監視して、電池の有無を判別して、電池Ｅ１の存在を検知したときに、電池Ｅ１とバックアップ充電回路２０とを遮断させる構成であれば、種々の変更が可能なことはいうまでもない。
【００１９】
一方、ヘッド部１Ｂは、図２に示すように、煙濃度やガス濃度あるいは、人体や熱源から発される赤外線レベルを検知し、それを電圧レベルに変換して制御部１０に送出する検知部２２と、検知部電源回路を構成するレギュレータ＃２（２１）とを備える。
【００２０】
このような構成のワイヤレス検知器１は、図３に示すように、ベース部１Ａを天井面や壁面に取り付け、ヘッド部１Ｂを組み付けて使用される。
ベース部１Ａをヘッド部１Ｂに組み付ける際には、ベース部１Ａの接続コネクタＣ１と、ヘッド部１Ｂの接続コネクタＣ２とを接続する。ここに、接続コネクタＣ１、Ｃ２は、おのおの対応した雄、雌端子（一部の端子に番号を付している）を有しており、接続コネクタＣ１、Ｃ２を嵌合させるだけでケーブルなしで接続できる。
【００２１】
このワイヤレス検知器１は、外部電源Ｅ１、電池Ｅ３いずれを動力源としても駆動することができ、電池Ｅ３で駆動する場合には、外部電源から通じている給電線を外部電源入力端子Ｃ０から取り外して使用する。
外部電源Ｅ１を動力源とするときには、以下のように動作する。
【００２２】
すなわち、外部電源Ｅ１（１２Ｖ）は、外部電源入力端子Ｃ０を通じて、ベース部１Ａの第１のコネクタＣ１の接続端子（番号６）に供給されており、これに結合された第２のコネクタＣ２の接続端子（番号６）を通じて、更にレギュレータ＃２（２１）に電源供給され、このレギュレータ所定の電圧値、ここでは、３Ｖに下げられ検知部２２に供給され、検知部２２がこの３Ｖ電源により作動する。
【００２３】
ヘッド部１Ｂのレギュレータ＃２（２１）により３Ｖに変換された外部電源Ｅ１は、第２のコネクタＣ２の接続端子（番号１）を通じて、ベース部１Ａの制御部１０、レギュレータ＃１（１３）、バックアップ充電回路２０のそれぞれに供給される。したがって、ベース部１Ａの制御部１０は、第１の接続コネクタＣ１の接続端子（番号１）から供給された３Ｖ電源で動作できる。
【００２４】
また、レギュレータ＃１（１３）では、第１の接続コネクタＣ１の接続端子（番号１）から供給された３Ｖ電源を２Ｖに変換し、電源制御部１２によるオンオフ制御によって、この２Ｖ電源が無線送信回路１１に供給される。
そして、バックアップ回路Ｅ２では、第１の接続コネクタＣ１の接続端子（番号１）から供給された３Ｖ電源が供給され、バックアップ電源として蓄積される。
【００２５】
この状態において、ヘッド部１Ｂの検知部２２による検知信号を受けたときには、その検知信号は第１、２の接続コネクタの接続端子（番号３）を通じてベース部１Ａの制御部１０に入力されるので、制御部１０は、その異常レベルを判定してから、電源制御部１２によって無線送信回路１１に対して、レギュレータ＃１（１３）によって変換された２Ｖ電圧を供給し、個別識別符号を含んだワイヤレス信号を出力させる。
【００２６】
このとき、ワイヤレス信号を一定時間出力させた後、送信禁止時間設定スイッチ１９により設定された送信禁止時間の間は、電源制御部１２によって無線送信回路１１への電源供給をカットする処理を繰り返した間欠送信をする。
【００２７】
一方、電池Ｅ３を動力源とするときには、以下のように動作する。
すなわち、電池Ｅ３をセットしたときには、電池検出スイッチＳ１がこれを検出し、制御接点Ｓ２を開いて、電池Ｅ３とバックアップ充電回路２０との接続を遮断する。
このとき、電池Ｅ３から供給される３Ｖ電源は、接続コネクタＣ１の接続端子（番号１）に供給され、その接続端子を通じて、３Ｖ電源が、制御部１０、レギュレータ＃１（１３）のそれぞれに供給される。
また、接続コネクタＣ１の接続端子（番号１）から、接続コネクタＣ２の接続端子（番号１）に３Ｖ電源が供給され、その端子を通じて３Ｖ電源が検知部２２に供給される。
【００２８】
この状態において、ヘッド部１Ｂの検知部２２による検知信号を受けたときには、ヘッド部１Ｂの検知部２２による検知信号を受けたときには、その検知信号は第１、２の接続コネクタの接続端子（番号３）を通じてベース部１Ａの制御部１０に入力されるので、制御部１０は、その異常レベルを判定してから、電源制御部１２によって無線送信回路１１に対して、レギュレータ＃１（１３）によって変換された２Ｖ電圧を供給し、個別識別符号を含んだワイヤレス信号を出力させる。
【００２９】
このとき、ワイヤレス信号を一定時間出力させた後、送信禁止時間設定スイッチ１９により設定された送信禁止時間の間は、電源制御部１２によって無線送信回路１１への電源供給をカットする処理を繰り返した間欠送信をする。このような処理は、外部電源Ｅ１を動力源とするときと同様である。
【００３０】
一方、外部電源Ｅ１が停電などにより遮断した場合には、以下のように動作する。すなわち、外部電源Ｅ１の供給を電源検知回路１４が検知しなくなったときには、バックアップ電池Ｅから無線送信回路１１と制御部１０とに電源を供給して、無線送信回路１１から電源遮断の異常を、この検知器１の個別識別符号を含ませたワイヤレス信号として発信させる。
【００３１】
また、電池Ｅ３の電池電圧が基準値よりも低下した場合には、電池切れ監視回路１５が電池電圧を監視しているので、制御部１０はこれを受けて、無線送信回路１１から電池切れの旨を、この検知器１の個別識別符号を含ませたワイヤレス信号として発信させる。
【００３２】
なお、本実施例では、ベース部１Ａとヘッド部１Ｂとに分けてそれぞれ組み付ける構成を示したが、これらを分離せず、一体型のワイヤレス送信器として構成してもよい。また、ベース部１Ａとヘッド部１Ｂとは、接続ケーブル（不図示）で相互接続するようにしてもよい。
【図面の簡単な説明】
【００３３】
【図１】本発明のワイヤレス検知器のベース部の概略構成の一例を示す図
【図２】本発明のワイヤレス検知器のヘッド略構成の一例を示す図
【図３】本発明のワイヤレス検知器の組み付け態様の一例を示す図
【符号の説明】
【００３４】
１  ワイヤレス送信器
１Ａ  ベース部
１Ｂ  ヘッド部
１０  制御部
１１  無線送信回路
１４  電源検知回路
２０  バックアップ充電回路
２２  検知部
Ｅ１  外部電源
Ｅ２  バックアップ電池
Ｅ３  電池
Ｓ１  電池検出スイッチ
Ｓ２  制御接点
Ｃ０  外部電源入力端子
Ｃ１  第１の接続コネクタ
Ｃ２  第２の接続コネクタ
【図１】
2005269385.tif 000003
【図２】
2005269385.tif 000004
【図３】
2005269385.tif 000005